(57)【要約】【課題】フード部の周壁との間に吸込み間隙を確保する整流板を備えたものにおいて、照明設置部を設けたフード部側の形状が複雑ではなく簡単な構造でありながら、効率よく照明が行えるレンジフードを提供する。【解決手段】ケーシング２内に排気用ファン４が配設され、ケーシング２の底壁２ａに排気用吸い込み口７が形成され、排気用吸い込み口７の下方に整流板８が配設され、整流板８と排気用吸い込み口７とを周壁３ａにより囲繞するフード部３を有し、整流板８とフード部３との間に排気用吸い込み口７に連通する吸込み間隙９が形成されるレンジフード１である。フード部３内における周壁３ａの一辺に照明器具５０の設置部５１を設け、整流板８の周囲縁部における設置部５１と対応する位置に、整流板８の周囲縁部を上方に変位させた膨出部３１を形成して透光部３２を設ける。【選択図】図１
2013002685.tif 000002
【特許請求の範囲】
【請求項１】
ケーシング内に排気用ファンが配設され、前記ケーシングの底壁に排気用吸い込み口が形成され、前記排気用吸い込み口の下方に整流板が配設され、前記整流板と前記排気用吸い込み口とを周壁により囲繞するフード部を有し、前記整流板と前記フード部との間に前記排気用吸い込み口に連通する吸込み間隙が形成されるレンジフードであって、
前記フード部内における前記周壁の一辺に照明器具の設置部を設け、
前記整流板の周囲縁部における前記照明器具の設置部と対応する位置に、前記整流板の周囲縁部を上方に変位させた膨出部を形成して透光部を設けたことを特徴とするレンジフード。
【請求項２】
平面視における、前記吸込み間隙の流路幅を広げる凹部を、前記膨出部に設けたことを特徴とする請求項１記載のレンジフード。
【発明の詳細な説明】
【技術分野】
【０００１】
本発明は、レンジフードに関し、詳しくは例えば、ガスコンロ、電気コンロ、および電磁誘導感熱式クッキングヒータ（ＩＨヒータ）などの加熱調理器具の上方に設置されて、調理中に発生する廃ガスなどの汚染空気（汚染物質）を吸い込み捕集して屋外に排気するためのレンジフードに関するものである。
【背景技術】
【０００２】
従来より、加熱調理器具の上方に設置されて内部が汚染空気の捕獲空間となるフード部と、捕獲空間の天板に開口されている排気用吸い込み口に連通させてフード部の上に設置される排気装置と、捕獲空間の開口周縁部（ すなわちフード部の周壁の下端の周縁部）との間に排気を吸い込むための吸込み間隙が形成されるように該捕獲空間に配置される整流板と、を備えたレンジフードが知られている（例えば、特許文献１参照）。
【０００３】
この特許文献１に示される従来のレンジフードは、捕獲空間の開口周縁部の一部に、フード部を捕獲空間の内側に向けて膨出させた照明設置部を設けると共に、整流板の周囲縁部とフード部の周壁との間に吸込み間隙を確保するため、整流板に照明設置部を避けるための窪み部を形成している。
【先行技術文献】
【特許文献】
【０００４】
【特許文献１】特開２０１１−０１７４６５号公報
【発明の概要】
【発明が解決しようとする課題】
【０００５】
ところがこの特許文献１に示された従来例では、 フード部の一部を捕獲空間の内側に向けて膨出させて照明設置部を形成しているため、フード部側の形状が複雑になってしまうものであった。
【０００６】
本発明はこれらの事情に鑑みてなされたものであって、その目的とするところは、フード部の周壁との間に吸込み間隙を確保する整流板を備えたものにおいて、照明設置部を設けたフード部側の形状が複雑ではなく簡単な構造でありながら、効率よく照明が行えるレンジフードを提供することにある。
【課題を解決するための手段】
【０００７】
前記の課題を解決するために、本発明は、ケーシング２内に排気用ファン４が配設され、ケーシング２の底壁２ａに排気用吸い込み口７が形成され、排気用吸い込み口７の下方に整流板８が配設され、整流板８と排気用吸い込み口７とを周壁３ａにより囲繞するフード部３を有し、整流板８とフード部３との間に排気用吸い込み口７に連通する吸込み間隙９が形成されるレンジフード１であって、
フード部３内における周壁３ａの一辺に照明器具５０の設置部５１を設け、
整流板８の周囲縁部における照明器具５０の設置部５１と対応する位置に、整流板８の周囲縁部を上方に変位させた膨出部３１を形成して透光部３２を設けたことを特徴としている。
【０００８】
このような構成とすることで、整流板８の周囲縁部に膨出部３１を形成するだけの簡単な構成で、照明器具５０からの光を通過させる透光部３２が形成できる。
【０００９】
また、整流板８において、上記透光部３２を形成するために、単に整流板８の一辺８ａの一部を切り欠いただけでは、吸込み間隙９における透光部３２の形成箇所付近の汚染空気通過用流路幅が、吸込み間隙９における他の部分と比べて広くなってしまうことに起因して、吸引される汚染空気の流速が低下してしまい、汚染空気の捕捉率が低下してしまうのであるが、この汚染空気の流速の低下を防いで、汚染空気の捕捉率の低下を防止し、捕捉率を高い状態に維持できる。
【００１０】
また請求項２に係る発明は、請求項１に係る発明において、平面視における、吸込み間隙９の流路幅を広げる凹部３３を、膨出部３１に設けたことを特徴とする。
【００１１】
これにより、整流板８の周囲縁部に形成された吸込み間隙９における、透光部３２の形成箇所付近を通過する汚染空気の流速と透光部３２の形成箇所以外の箇所を通過する汚染空気の流速との大小関係を、膨出部３１における上方への変異量と上記凹部３３の深さとにより調節することができ、汚染空気の捕捉率をより一層高い状態に維持できる。
【発明の効果】
【００１２】
本発明においては、整流板の周囲縁部に膨出部を形成するだけの簡単な構成で、照明器具からの光を通過させる透光部が形成できると共に、汚染空気の捕捉率を高い状態に維持できるものである。
【図面の簡単な説明】
【００１３】
【図１】本発明の一実施形態であり、整流板の他辺をフード部に係止させたレンジフードの使用可能状態における側面断面図である。
【図２】同上の正面断面図である。
【図３】図２のＢ−Ｂ線断面図である。
【図４】図１のＡ−Ａ線断面図である。
【図５】レンジフードの使用可能状態における斜め前方右下から見た斜視図である。
【図６】レンジフードの使用可能状態における底面図である。
【図７】同上の整流板の他辺を垂下させたレンジフードの非使用状態用位置を説明する側面断面図である。
【図８】同上のレンジフードの構成を示すブロック図である。
【図９】整流板を示し、（ａ）は側面図であり、（ｂ）は正面図であり、（ｃ）は平面図である。
【発明を実施するための形態】
【００１４】
以下、本発明の実施の形態について、図面を参照しながら説明する。
【００１５】
図１は本発明の一実施形態のレンジフード１の側面断面図であり、図２は正面断面図であり、図３は図２のＢ−Ｂ線に沿う断面図であり、図４は図１のＡ−Ａ線に沿う断面図である。
【００１６】
本実施形態のレンジフード１は、図示しない台所等に設置されるコンロの上方に配設されている。
【００１７】
レンジフード１は、図１、図２に示すように、吸い込み部を有する排気用ファン４と、排気用ファン４を収容するケーシング２と、整流板８を揺動可能に取り付けたフード部３とを備えている。排気用ファン４は例えば遠心ファンからなる。
【００１８】
ケーシング２の底壁２ａ側には、下方に開口した排気用吸い込み口７が形成されており、排気用ファン４の吸い込み部が排気用吸い込み口７と連通している。排気用ファン４の吹き出し部に接続された排気ダクト３０は、ケーシング２の外部へ延びている。
【００１９】
前記フード部３は、下面が開口された平面視矩形状に形成されている。
フード部３の下面は隔壁１３で構成され、フード部３の上面は天板２１で構成されている。
【００２０】
天板２１は底壁２ａの排気用吸い込み口７を塞がないように配置される。天板２１と隔壁１３との間は、制御部５、スイッチ部６、近接センサ１１（図８参照）等の配線を行う配線用通路２３となっている。
【００２１】
隔壁１３の下方には、平面視矩形状の整流板８が配設されている。フード部３に対する整流板８の係止構造については後述する。
【００２２】
この整流板８が使用状態用位置に位置しているときは、整流板８の周囲縁部とフード部３の外周側壁（以下、周壁３ａという）との間に環状の吸込み間隙９が形成されている。また隔壁１３下面と整流板８の上面との間はフード内通路２２となっており、このフード内通路２２を介して吸込み間隙９と底壁２ａの排気用吸い込み口７とが連通している。ここで、環状の吸込み間隙９を狭幅に形成することで、整流板８に当たった汚染空気が吸込み間隙９内ヘと高速で流入するようになり、これにより、ケーシング２側方への汚染空気の溢流が抑制されて、底壁２ａの排気用吸い込み口７を経由する汚染空気の捕獲率が向上する。
【００２３】
フード部３の前面には、排気用ファン４の起動および停止のための指令を入力するスイッチ部６が設けられる。スイッチ部６は、図８に示すように、停止スイッチ、強スイッチ、中スイッチ、弱スイッチ、照明スイッチ、チャイルドロックスイッチを備えている。このスイッチ部６は、押し操作している間だけ接点を閉じられるモーメンタリスイッチ（例えば、タクトスイッチ）が用いられると共に、各スイッチの操作面は図示しないメンブレンシートにより覆われている。
【００２４】
スイッチ部６からの指令信号は、制御部５（図８参照）に入力される。制御部５は、スイッチ部６からの信号に応じて排気用ファン４の起動および停止を制御する。
【００２５】
本実施形態では、チャイルドロックスイッチを所定時間（例えば、３秒）以上継続して押し操作することで、排気用ファン４の運転中には排気用ファン４の運転を停止し、また、排気用ファン４の運転停止中に強スイッチ、または、中スイッチ、または、弱スイッチが押し操作されても排気用ファン４の回転を開始しない状態である、チャイルドロックモードに移行する。これにより老齢者等の誤操作を未然に防止できる。なお、チャイルドロックモードにおいて、チャイルドロックスイッチを所定時間（例えば、３秒）以上継続して押し操作することでチャイルドロックモードが解除され、通常モード用制御に切り換わり、強スイッチ、または、中スイッチ、または、弱スイッチの押し操作による排気用ファン４の回転が可能となる。
【００２６】
また、強スイッチ、または、中スイッチ、または、弱スイッチが押し操作されて、排気用ファン４が強回転、または、中回転、または、弱回転でレンジフード１が運転しているときは、台所等のコンロで発生した上昇汚染空気流が、コンロ上方の吸込み間隙９からレンジフード１内へ吸引され、更に排気用ファン４と排気ダクト３０とを経て屋外へ排出される。
【００２７】
フード部３内の後端側には、照明器具５０を設置するための設置部５１が収納されている。照明器具５０は本実施形態では電球であるが、蛍光灯やＬＥＤ照明等、特に限定されない。スイッチ部６の照明スイッチを押し操作することにより照明器具５０に通電され、また、照明器具５０に通電された状態で、再度、照明スイッチを押し操作することにより照明器具５０への通電が遮断される。なお、照明器具５０の設置部５１は、フード部３の内面に沿って、その幅方向の略全幅に亘り横長に形成され、フード部３の後縁の下端から隔壁１３の下面に連なる、平面に形成される傾斜部により構成されている。
【００２８】
本実施形態の照明器具５０は、整流板８の一辺８ａ側に形成された透光部３２に臨ませて配置されている。透光部３２は、本実施形態では整流板８に形成された透光孔であり、透光部３２の周囲は、整流板８の一部を上方に膨出させた膨出部３１で囲まれている。膨出部３１は、照明器具５０に向かって上り傾斜しており、照明器具５０の光は膨出部３１の下側に開口している透光部３２を通ってレンジフード１の下方に向けて照射されるものである。本実施形態の膨出部３１は、整流板８の一辺８ａと平行な左右方向に長く形成されており、これに伴い透光部３２も左右方向に長く開口しており、レンジフード１の下方の照明効果が高められている（図５、図６、図９参照）。
【００２９】
さらに膨出部３１は、フード部３内の隔壁１３と整流板８間のフード内通路２２内に流れ込む空気流のバランスを良好に保つ働きもする。つまり、汚染空気は図１の矢印ａで示すように、環状の吸込み間隙９からフード内通路２２内に吸い込まれ、更に矢印ａ１，ａ２で示すように、底壁２ａの排気用吸い込み口７から排気用ファン４に吸い込まれる。このとき、整流板８において、透光部３２を形成するために、単に整流板８の一辺８ａの一部を切り欠いただけでは、吸込み間隙９における透光部３２の形成箇所付近の汚染空気通過用流路幅が、吸込み間隙９における他の部分と比べて広くなってしまうことに起因して、吸引される汚染空気の流速が低下してしまい、汚染空気の捕捉率が低下してしまうのであるが、本実施形態では膨出部３１によってフード内通路２２における整流板８とフード部３の下面との間隔を狭くなるように構成している。これにより吸引される汚染空気の流速の低下を防いで、汚染空気の捕捉率の低下を防止するものである。
【００３０】
整流板８の一辺８ａは、フード部３の後端側に揺動可能に軸支されており、該一辺８ａと対向する他辺８ｂは、フード部３の前端側に着脱自在に係止可能とされている。
【００３１】
図１〜図４に示す実施形態では、整流板８の一辺８ａの左右両側にそれぞれ軸支部１５が設けられ、各軸支部１５は、フード部３内の隔壁１３の後端両側に取り付けた一対の支軸支持用金具１６にそれぞれ軸支されている。
【００３２】
整流板８の他辺８ｂの左右両端側のコーナー部には、それぞれ、整流板係止金具１７が設けられている。
【００３３】
一方、フード部３内の隔壁１３の前端両側には、それぞれ整流板取付金具１８が取り付けられている。
【００３４】
整流板８の他辺８ｂをフード部３に係止させるには、整流板８の他辺８ｂを垂下させた状態（図７の状態）から使用状態用位置（図１の状態）に向かって押し上げる。これにより、整流板係止金具１７と整流板取付金具１８が係合して、整流板８が図１に示す使用状態に保持される。
【００３５】
なお、整流板係止金具１７と整流板取付金具１８が係合して、整流板８が図１に示す使用状態に保持される状態でないときには、強スイッチ、または、中スイッチ、または、弱スイッチが押し操作されても排気用ファン４が不用意に回転しないようにする安全装置が組み込まれているが、詳述しない。
【００３６】
本発明にあっては、フード部３の周壁３ａの一辺に照明器具５０の設置部５１を設け、         整流板８の周囲縁部の設置部５１と対応する位置に、周囲縁部を上方に変位させた膨出部３１を形成して透光部３２を設けたことで、整流板８の周囲縁部に膨出部３１を形成するだけの簡単な構成で、照明器具５０からの光を通過させる透光部３２が形成できる。また、整流板８において、透光部３２を形成するために、単に整流板８の一辺８ａの一部を切り欠いただけでは、吸込み間隙９における透光部３２の形成箇所付近の幅が、吸込み間隙９における他の部分と比べて広くなってしまうことに起因して、吸引される汚染空気の流速が低下してしまい、汚染空気の捕捉率が低下してしまうのであるが、この吸引される汚染空気の流速の低下を防いで、汚染空気の捕捉率の低下を防止し、捕捉率を高い状態に維持できる。
【００３７】
また本実施形態では、平面視における、吸込み間隙９の流路幅を広げる凹部３３を、膨出部３１に設けてある（図９参照）。これにより、整流板８の周囲縁部に形成された吸込み間隙９における、透光部３２の形成箇所付近を通過する汚染空気の流速と透光部３２の形成箇所以外の箇所を通過する汚染空気の流速との大小関係を、膨出部３１における上方への変異量と凹部３３の平面視における幅とにより調節することができ、汚染空気の捕捉率をより一層高い状態に維持できる。
【符号の説明】
【００３８】
１  レンジフード
２  ケーシング
３  フード部
４  排気用ファン
５  制御部
６  スイッチ部
７  排気用吸い込み口
８  整流板
８ａ  一辺
８ｂ  他辺
９  吸込み間隙
１１  近接センサ
１３  隔壁
１５  軸支部
１６  支軸支持用金具
１７  係止金具
１８  取付金具
２１  天板
２２  フード内通路
２３  配線用通路
３０  排気ダクト
３１  膨出部
３２  透光部
３３  凹部
【図１】
2013002685.tif 000003
【図２】
2013002685.tif 000004
【図３】
2013002685.tif 000005
【図４】
2013002685.tif 000006
【図５】
2013002685.tif 000007
【図６】
2013002685.tif 000008
【図７】
2013002685.tif 000009
【図８】
2013002685.tif 000010
【図９】
2013002685.tif 000011